(57)【要約】【課題】  遠赤外線放射体の回転軸受部およびその付近の過熱防止を図ることができる穀粒乾燥装置を提供する。【解決手段】  遠赤外線の照射により穀粒の内部を加温して水分を表面に移行させ、かつ穀粒の表面に対する通風により穀粒の表面から水分を蒸発させて穀粒を乾燥する穀粒乾燥装置である。穀粒が散粒状ないし薄層状に流動する部位に、乾燥の熱源となるバーナ１４を備えた遠赤外線放射体１２を設ける。遠赤外線放射体１２は、円筒形であってその一端の軸心には、バーナ１４の炎熱放射筒１５を臨まる。遠赤外線放射体１２の他端の軸心には、燃焼熱気の排気筒１６を接続し、軸心を中心にして回転する構成として、遠赤外線放射体１２の回転軸受部２０に外気が導入されるように構成してある。【選択図】        図１
2006317150.tif 000002
【特許請求の範囲】
【請求項１】
遠赤外線の照射により穀粒の内部を加温して水分を表面に移行させ、かつ穀粒の表面に対する通風により穀粒の表面から水分を蒸発させて穀粒を乾燥する穀粒乾燥装置であって、穀粒が散粒状ないし薄層状に流動する部位に、乾燥の熱源となるバーナを備えた遠赤外線放射体を設け、この遠赤外線放射体は、円筒形であってその一端の軸心にバーナの炎熱放射筒を臨ませ、かつ他端の軸心に燃焼熱気の排気筒を接続して、軸心を中心にして回転する構成とし、遠赤外線放射体の回転軸受部に外気を導入するように構成したことを特徴とする穀粒乾燥装置。
【発明の詳細な説明】
【技術分野】
【０００１】
本発明は、遠赤外線の照射による加温と加温風の通風により穀粒を乾燥する穀粒乾燥装置に関する。
【背景技術】
【０００２】
乾燥機本体の上段に穀粒貯留槽、中段に通風乾燥部、下段に穀粒取出槽をそれぞれ設け、穀粒貯留槽に貯留した穀粒を通風乾燥部、穀粒取出槽、穀粒貯留槽の経路で循環流動させながら通風乾燥部で通風乾燥する穀粒乾燥機は、特開平９−１１３１４０号公報に記載されており、この穀粒乾燥機においては、通風乾燥部の乾燥通路を流下する穀粒に、遠赤外線を照射することにより、通風による乾燥に遠赤外線による乾燥を併用している。
【特許文献１】特開平９−１１３１４０号公報
【発明の開示】
【発明が解決しようとする課題】
【０００３】
前掲の特開平９−１１３１４０号公報に記載されている穀粒乾燥機においては、遠赤外線放射体に備えたバーナの燃焼排熱気をそのまま熱風室に導入して乾燥熱風を生じさせることにより、バーナの熱利用の無駄をなくし、熱熱効率の向上を図っている。
【０００４】
穀粒を高品位にしかも比較的短時間で効率よく乾燥するには、穀粒の内部から水分を表面に移行させ、表面の水分を通風によって放散させる、いわゆるフレンドリー方式が提案されているが、穀粒に遠赤外線を照射することは、穀粒を内部から暖めて、水分を表面に移行させるうえで、たいへん有効である。そして、穀粒の表面に水分が移行すると、比較的低温の風を浴びせるだけで水分を放散させることができるので、乾燥穀粒を高品位に仕上げるには、比較的低温の通風を行うことと、それがあまりに乾き過ぎず外気に近い湿度を保っていることが、表面の乾燥し過ぎを無くしヒビ割れを防止するうえで有効である。
【０００５】
そこで、本発明は、穀粒が散粒状ないし薄層状に流動する部位に、乾燥の熱源となるバーナを備えた遠赤外線放射体を設け、この遠赤外線放射体は、円筒形であってその一端の軸心にバーナの炎熱放射筒を臨ませ、かつ他端の軸心に燃焼熱気の排気筒を接続して、軸心を中心にして回転する構成とし、遠赤外線放射体の回転軸受部に外気を導入するように構成したことにより、遠赤外線放射体の回転軸受部およびその付近の過熱防止を図ることができる穀粒乾燥装置を提供することを目的とする。
【課題を解決するための手段】
【０００６】
上記目的を達成するため、本発明の請求項１に係る穀粒乾燥装置は、遠赤外線の照射により穀粒の内部を加温して水分を表面に移行させ、かつ穀粒の表面に対する通風により穀粒の表面から水分を蒸発させて穀粒を乾燥する穀粒乾燥装置であって、穀粒が散粒状ないし薄層状に流動する部位に、乾燥の熱源となるバーナを備えた遠赤外線放射体を設け、この遠赤外線放射体は、円筒形であってその一端の軸心にバーナの炎熱放射筒を臨ませ、かつ他端の軸心に燃焼熱気の排気筒を接続して、軸心を中心にして回転する構成とし、遠赤外線放射体の回転軸受部に外気を導入するように構成したことを特徴とするものである。
【発明の効果】
【０００７】
本発明によれば、穀粒が散粒状ないし薄層状に流動する部位に、乾燥の熱源となるバーナを備えた遠赤外線放射体を設け、この遠赤外線放射体は、円筒形であってその一端の軸心にバーナの炎熱放射筒を臨ませ、かつ他端の軸心に燃焼熱気の排気筒を接続して、軸心を中心にして回転する構成とし、遠赤外線放射体の回転軸受部に外気を導入するように構成したことにより、遠赤外線放射体の回転軸受部およびその付近の過熱防止を図ることができる効果が得られる。
【発明を実施するための最良の形態】
【０００８】
図１は本発明の実施の形態に係る穀粒乾燥装置の断面図、図２は本発明の実施の形態に係る穀粒乾燥装置の平断面図である。
【０００９】
図１および図２において、１は乾燥機本体であって、乾燥機本体１の上段には穀粒貯留槽２が、中段には通風乾燥部３が、さらに下段には穀粒取出槽４がそれぞれ設けられている。穀粒取出槽４の下部にはその前後方向全長にわたる穀粒搬出コンベア５が設けられており、穀粒搬出コンベア５と穀粒貯留槽２の上部の上部コンベア（図示せす）間は昇降機（図示せず）によって連絡されていて、穀粒搬出コンベア５、昇降機および上部コンベアを介して、穀粒貯留槽２、通風乾燥部３、穀粒取出槽４、穀粒貯留槽槽２の経路で穀粒が循環されるように構成されている。
【００１０】
上記通風乾燥部３は通気壁により形成された複数の乾燥通路６をなしていて、その乾燥通路６を構成する熱風供給胴は、熱風供給室７に連通し、排風胴は排風室８に連通しており、排風室８には吸引送風機９が備えられている。
【００１１】
穀粒取出槽４は、その上部両側から穀粒搬出コンベア５の搬送樋にかけて傾斜する流穀板１０と両側壁１１とで囲まれて形成されている。
【００１２】
穀粒取出槽４内には、遠赤外線放射体１２が配設されており、この遠赤外線放射体１２は、穀粒取出槽４の前後方向略全長にわたる円筒形のものである。この遠赤外線放射体１２から放射される遠赤外線は、通風乾燥部３の乾燥通路６から繰出ロール１３の回転により繰り出されて、流穀板１０面上を穀粒が散粒状ないし薄層状に流下する穀粒に照射される。遠赤外線放射体１２の一端には、ガンタイプのバーナ１４の炎熱放射筒１５が軸心に臨ませてあり、遠赤外線放射体１２の他端に排気筒１６が軸心に接続されている。
【００１３】
遠赤外線放射体１２は、その両端の回転軸受部２０によって回転自在となっており、遠赤外線放射体１２はモータ２１により、低速で連続回転するようになっている。なお、ガンタイプのバーナ１４と排気筒１６は遠赤外線放射体１２の回転を妨げない構造でそれぞれ接続されている。排気筒１６とそれと二重筒にした吸気ダクト２２は穀粒取出室４を排風室８に通じる空間に接続されており、かつ遠赤外線放射体１２の回転軸受部２０に外気が吸引導入されるようにして、その回転軸受部２０およびその付近の過熱防止を図っている。
【００１４】
本発明に係る穀粒乾燥装置によれば、遠赤外線放射体１２により被乾燥穀粒に遠赤外線を照射することにより、穀粒の内部を比較的短時間に加温して水分を表面に移行させ、かつ被乾燥穀粒の表面に対する通風により被乾燥穀粒の表面から水分を速やかに蒸発させて被乾燥穀粒を比較的短時間で効率よく乾燥することができる。そして、遠赤外線放射体１２の回転軸受部２０に外気を導入するように構成したことにより、遠赤外線放射体１２の回転軸受部２０およびその付近の過熱防止を図ることができる。
【図面の簡単な説明】
【００１５】
【図１】本発明の実施の形態に係る穀粒乾燥装置の断面図である。
【図２】本発明の実施の形態に係る穀粒乾燥装置の平断面図である。
【符号の説明】
【００１６】
１  乾燥機本体
２  穀粒貯留槽
３  通風乾燥部
４  穀粒取出槽
５  穀粒搬出コンベア
６  乾燥通路
７  熱風供給室
８  排風室
９  吸引送風機
１０  流穀板
１１  両側壁
１２  遠赤外線放射体
１３  繰出ロール
１４  バーナ
１５  炎熱放射筒
１６  排気筒
２０  回転軸受部
２１  モータ
２２  吸気ダクト
【図１】
2006317150.tif 000003
【図２】
2006317150.tif 000004